(57)【特許請求の範囲】
【請求項１】
床面上を走行可能な複数のキャスターが設けられたベース部、及び該ベース部から上方に向かって立設された支持基体を有する下部構造体と、
該支持基体の上方に配された天板、及び前記支持基体に取り付けられ、前記天板を支持する天板支持部を有する上部構造体とを備え、
前記天板支持部は、前記支持基体に側面視において片持ち状に取り付けられ、該支持基体から後方に向かうに従って上方へと配される第一支持部と、
該第一支持部に側面視において片持ち状に支持されて前方へと配され、前記天板が取り付けられた第二支持部とを有し、
前記天板及び第二支持部と前記第一支持部とに囲まれるようにして、前方、左方及び右方に連続して開口する前部空間が形成され、
平面視して、前記上部構造体の重心位置は、前記下部構造体の前記支持基体の重心位置近傍に設定されていることを特徴とするカート装置。
【請求項２】
請求項１に記載のカート装置において、
前記支持基体は、柱状の１つの部材で、前記キャスターが配される床面に対して垂直となるようにして前記ベース部から立設された支持柱であり、
平面視して、前記上部構造体の重心位置は、前記支持柱の断面内に配されていることを特徴とするカート装置。
【請求項３】
請求項１または請求項２に記載のカート装置において、
前記上部構造体は、前記天板上の所定位置に載置される予め設定された設計重量の載置物を含み、
前記上部構造体の重心位置が、平面視して、前記下部構造体の前記支持基体の重心位置近傍に設定されていることを特徴とするカート装置。
【請求項４】
請求項１から請求項３のいずれか一項に記載のカート装置において、
前記前部空間内で前記天板の下面に支持されて、所定位置に予め設定された設計重量の物品を載置可能な物品載置部を備え、
前記上部構造体には、前記物品載置部及び該物品載置部に載置された前記物品も含まれ、
前記上部構造体の重心位置が、平面視して、前記下部構造体の前記支持基体の重心位置近傍に設定されていることを特徴とするカート装置。
【請求項５】
請求項４に記載のカート装置において、
前記物品載置部には、予め設定された設計重量の前記物品としてバッテリ装置が搭載されていることを特徴とするカート装置。
【請求項６】
請求項１から請求項５のいずれか一項に記載のカート装置において、
前記支持基体は、上下に伸縮可能に設けられていることを特徴とするカート装置。
【請求項７】
請求項６に記載のカート装置において、
前記支持基体を上下に伸縮調整するための操作部を備え、
該操作部は、平面視して、前記支持基体の重心位置近傍に設けられていることを特徴とするカート装置。
【請求項８】
請求項１から請求項７のいずれか一項に記載のカート装置において、
ベース部は、平面視して、前記支持基体の重心位置に対する前記上部構造体の重心位置の位置ずれする方向である重心ずれ方向における第一の幅寸法が、前記重心ずれ方向の直交する方向における第二の幅寸法に対して大きく設定されていることを特徴とするカート装置。
【発明の詳細な説明】
【技術分野】
【０００１】
本発明は、オフィスや病院、公共施設等における執務空間にて使用されるカート装置に関する。
【背景技術】
【０００２】
オフィスや病院、介護施設、公共施設等における執務空間においては、執務空間内を様々な場所に移動しながら電子機器等を用いて執務を行いたい場合がある。こうした要望に対しては、天板を有するカート装置の天板上に電子機器を載置し、執務者がカート装置と共に移動することによって対応する方法が多く採用されている。これらの方法によれば、執務を効率的に実施することができ、利便性を高くすることができる。
【０００３】
ただし、多人数の執務者が複数台のカート装置を用いて執務を行う場合には、カート装置の設置に場所を要することになるため、カート装置の収納場所を確保しなければならなかった。
【０００４】
こうした問題を鑑み、カート本体に、カート本体の前面および左右側面に連続して開放されて後方に向かってテーブル什器の天板が進入可能な進入空間を形成し、この進入空間内にテーブル什器の天板が位置するようにカート装置を配置可能とする方法が提案されている（特許文献１〜３参照）。
これらの提案によれば、多人数の執務者が複数台のカート装置を用いて執務を行う場合や、カート装置に載置した状態で電子機器への充電を行いたい場合には、テーブル什器の天板をカート本体の進入空間に収容することによって、テーブル什器とカート装置とを平面視において重合させて配設することができる。これにより、カート装置を設置するための場所を小さくすることが可能となり、執務空間を有効に活用することが可能となる。
また、テーブル什器とカート装置とを重合させた場合においても、電子機器を載置したカート装置の天板がテーブル什器の天板よりも上方に配置されるため、重合状態でも電子機器を使用することができ、什器としての利便性を高いものとすることができる。
【先行技術文献】
【特許文献】
【０００５】
【特許文献１】特開２００８−０１７９２９号公報
【特許文献２】特開２００９−２７９４１４号公報
【特許文献３】特開２０１０−１０４５７３号公報
【発明の概要】
【発明が解決しようとする課題】
【０００６】
しかしながら、上記したようなカート装置の構造においては、カート装置上方に配設された天板上に電子機器を載置することになると共に、執務者の体格や使い勝手に応じて天板高さを変更するための機構が組み込まれる場合が多いため、カート装置の自立安定性および天板上での作業性が悪くなってしまうという問題が生じる場合が多い。したがって、天板およびその載置物を安定して支持可能な構造が求められていた。
そこでなされた本発明の目的は、執務空間内における設置位置を最小限として執務空間内を有効に活用することが出来ると共に、安定的な構造で有りながら、執務者の使い勝手を良好とすることができるカート装置を提供することである。
【課題を解決するための手段】
【０００７】
本発明は、上記課題を解決するため、以下の手段を採用する。
本発明のカート装置は、床面上を走行可能な複数のキャスターが設けられたベース部、及び該ベース部から上方に向かって立設された支持基体を有する下部構造体と、該支持基体の上方に配された天板、及び前記支持基体に取り付けられ、前記天板を支持する天板支持部を有する上部構造体とを備え、前記天板支持部は、前記支持基体に側面視において片持ち状に取り付けられ、該支持基体から後方に向かうに従って上方へと配される第一支持部と、該第一支持部に側面視において片持ち状に支持されて前方へと配され、前記天板が取り付けられた第二支持部とを有し、前記天板及び第二支持部と前記第一支持部とに囲まれるようにして、前方、左方及び右方に連続して開口する前部空間が形成され、平面視して、前記上部構造体の重心位置は、前記下部構造体の前記支持基体の重心位置近傍に設定されていることを特徴とする。
【０００８】
このように、天板及び第二支持部と第一支持部とに囲まれるようにして、前方、左方及び右方に連続して開口する前部空間を備えることで、この前部空間に、デスクやカウンタ等の什器の天板を収容し、カート装置の天板と什器の天板とを重合させることができる。
また、天板と天板支持部を有する上部構造体の重心位置を、平面視して、下部構造体の前記支持基体の重心位置近傍に配置したので、カートの自立安定性および天板上での作業性を良好なものとすることができ、執務者の使い勝手を良好なものとすることができる。
【０００９】
前記支持基体は、柱状の１つの部材で、前記キャスターが配される床面に対して垂直となるようにして前記ベース部から立設された支持柱である場合、平面視して、前記上部構造体の重心位置は、前記支持柱の断面内に配するのが好ましい。
これにより、カートの自立安定性および天板上での作業性をより良好なものとすることができ、執務者の使い勝手をさらに良好なものとすることができる。また、支持柱にその長さが伸縮することで天板を昇降させる昇降機構が備えられている場合に、昇降機構の動作を円滑なものとすることができる。
【００１０】
前記上部構造体は、前記天板上の所定位置に載置される予め設定された設計重量の載置物を含み、前記上部構造体の重心位置が、平面視して、前記下部構造体の前記支持基体の重心位置近傍に設定するのが好ましい。
また、前記前部空間内で前記天板の下面に支持されて、所定位置に予め設定された設計重量の物品を載置可能な物品載置部を備え、前記上部構造体には、前記物品載置部及び該物品載置部に載置された前記物品も含まれ、前記上部構造体の重心位置が、平面視して、前記下部構造体の前記支持基体の重心位置近傍に設定されているのが好ましい。
このようにして、載置物を天板上に搭載したり、物品載置部に物品を載置した状態で、カートの自立安定性を良好なものとすることができる。
ここで、前記物品載置部には、予め設定された設計重量の前記物品としてバッテリ装置が搭載することができる。
これにより、カートの自立安定性を良好なものとしつつ、上記バッテリ装置を電源としてカート装置で機器の使用が可能となる。
また、支持基体は、上下に伸縮可能に設けることができる。
これにより、天板の高さを調整することが可能となる。
【００１１】
さらに、前記支持基体を上下に伸縮調整するための操作部を備え、該操作部は、平面視して、前記支持基体の重心位置近傍に設けるのが好ましい。
これにより、カート装置おいて高い位置にある操作部を操作したときに、カート装置が不安定になるのを防ぐことができる。
【００１２】
ベース部は、平面視して、前記支持基体の重心位置に対する前記上部構造体の重心位置の位置ずれする方向である重心ずれ方向における第一の幅寸法を、前記重心ずれ方向の直交する方向における第二の幅寸法に対して大きく設定するのが好ましい。
これにより、支持基体の重心位置に対する前記上部構造体の重心位置の位置ずれする方向において、カート装置の安定性を高めることができる。
【発明の効果】
【００１３】
本発明によれば、天板及び第二支持部と第一支持部とに囲まれるようにして、前方、左方及び右方に連続して開口する前部空間を備えることで、この前部空間に、デスクやカウンタ等の什器の天板を収容し、カート装置の天板と什器の天板とを重合させることができる。これにより、執務区間内におけるカート装置を設置するために占有する面積を最小限とすることができ、室内空間の有効利用を図ることができる。
また、天板と天板支持部を有する上部構造体の重心位置を、平面視して、下部構造体の前記支持基体の重心位置近傍に配置したので、カートの自立安定性および天板上での作業性を良好なものとすることができ、執務者の使い勝手を良好なものとすることができる。
【図面の簡単な説明】
【００１４】
【図１】本実施形態に係るカート装置の外観を示す斜視図である。
【図２】（ａ）はカート装置の部品構成を示す斜視展開図、（ｂ）は天板支持部を前方から見た斜視図、（ｃ）は支持基体に係止孔を設けた場合の例である。
【図３】カート装置の側面図である。
【図４】カート装置をデスク等の什器とともに用いている使用形態の一例を示す斜視図である。
【図５】カート装置を壁面に押し付けて用いている使用形態の一例を示す斜視図である。
【図６】カート装置の平面図である。
【図７】カート装置の使用形態の一例であり、天板上にノートブック型のパーソナルコンピュータ装置を載置した例である。
【図８】同、天板上に診療用のコンピュータ装置を載置した例である。
【図９】同、パーソナルコンピュータ装置を固定的に設けた例である。
【図１０】同、支持基体に収容トレーを設けた例である。
【図１１】同、運搬用カートを連結した例である。
【図１２】カート装置と運搬用カートの連結構造の一例を示す側面図である。
【図１３】天板支持部の様々な変形例を示す図である。
【図１４】天板支持部の他の変形例を示す図である。
【図１５】天板支持部のさらに他の変形例を示す側面図である。
【図１６】支持基体、ベース部の変形例を示す図である。
【発明を実施するための形態】
【００１５】
以下、添付図面を参照して、本発明によるカート装置を実施するための最良の形態を説明する。しかし、本発明はこれらの実施例のみに限定されるものではない。
【００１６】
図１、図２（ａ）に示すように、本実施形態にかかるカート装置１０は、床面上を走行可能な複数のキャスター２１が設けられたベース部２０と、ベース部２０から上方に向かって立設された支持基体３０と、支持基体３０の上方に配された天板４０と、支持基体３０に取り付けられ、天板４０を支持する天板支持部５０とを備えている。
なお、以下の説明において、天板４０に対し、この天板４０上で作業等を行う使用者が対向する側を後方、その反対側を前方とする。
【００１７】
ベース部２０は、支持基体３０が取り付けられる支持基体取付部２２から、各キャスター２１に向けて延びるベースアーム２３を有している。ここで、支持基体取付部２２は、平面視において、前方側にオフセットして配置されており、これにより、支持基体取付部２２を挟んで後方側の二本のベースアーム２３Ａ、２３Ａは、前方側の二本のベースアーム２３Ｂ、２３Ｂよりも長く形成されている。
【００１８】
各キャスター２１は、各ベースアーム２３Ａ、２３Ｂの先端部の下面に、ピボット軸２１ａを介して床面に直交する鉛直軸周りに旋回可能に設けられている。
また、各キャスター２１は、それ自体が回転することにより床面上を走行可能となっている。各キャスター２１は、支持基体取付部２２に設けられた操作ペダル２４により、その回転がロック・アンロックできるようになっている。
【００１９】
支持基体３０は、支持基体取付部２２から上方に延びるよう固定された筒状のアウター支柱３１と、アウター支柱３１内に設けられたインナー支柱３２と、を備える。
インナー支柱３２は、アウター支柱３１に対し、上下方向に昇降自在に設けられている。このインナー支柱３２をアウター支柱３１に対して昇降させるため、ガススプリング３３が備えられている。ガススプリング３３は、その下端がアウター支柱３１に固定され、上端がインナー支柱３２に固定されている。天板支持部５０に設けられた操作レバー５１を操作することによりガススプリング３３の全長（高さ）が変化することで、インナー支柱３２をアウター支柱３１に対して昇降させ、支持基体３０を伸縮駆動させて天板４０を昇降可能としている。
なお、支持基体３０を上下方向に伸縮させず、その長さを固定とする構成とすることも可能である。
【００２０】
天板４０は、後述の天板支持部５０によってその上面４１が水平状態となるよう支持されている。上面４１には、電子カルテ等の情報を表示するためのパーソナルコンピュータをはじめとする各種電子機器が載置できるようになっている。上面４１に電子機器を載置した状態で、その手前で筆記作業や配布物を一時的に置くためのスペースを確保できるよう、天板４０の大きさを設定してもよい。
さらに、天板４０の前部には、上面４１上の物品が落下するのを防ぐため、柵体４２や上方に立ち上がる縁壁等を設けてもよい。
【００２１】
図２（ａ）、（ｂ）に示すように、天板支持部５０は、支持基体３０のインナー支柱３２の上端部が挿入される基部５２と、側面視において基部５２から後方に向けて片持ち状に設けられ、後方に行くにしたがい斜め上方に延びる第一支持アーム（第一支持部）５３と、側面視において第一支持アーム５３の後端部から上方に向けて立設された第二支持アーム５４と、側面視において第二支持アーム５４の上端部から前方に向けて片持ち状に設けられ、水平方向に延びる第三支持アーム（第二支持部）５５とを有する。
本実施形態では、第二支持アーム５４は、第一支持アーム５３の傾斜角度よりも大きな傾斜角度で後方に向けて傾斜して設けられている。
ここで、本実施形態においては、第一支持アーム５３、第二支持アーム５４、第三支持アーム５５は、それぞれ左右対称な二本一対で設けられている。そして、第一支持アーム５３、５３は、平面視において基部５２から上方に行くにしたがい、前後方向と直交する左右方向に互いに離間する、いわゆるＶ字状に延びるよう設けられ、第三支持アーム５５は、天板４０の両側部に平行となるよう設けられている。
【００２２】
第三支持アーム５５上には、天板４０がボルト等により固定されている。ここで、第二支持アーム５４の上端部は、天板４０の後端部４０ａのほぼ鉛直下方に位置するよう設けるのが好ましい。
【００２３】
また、図２（ｂ）に示したように、第一支持アーム５３は、上方に開口した溝５３ａを有することもでき、この溝５３ａに、樹脂等からなるカバー５６を設けることもできる。そして、溝５３ａとカバー５６との間の空間に、操作レバー５１とガススプリング３３とを連結する連結ロッド５７を収容できる。
【００２４】
さらに、第二支持アーム５４、５４から後方に向けて延びるサポートプレート５８、５８を設け、これらサポートプレート５８、５８間に水平方向に延びる連結部材５９を設けてもよい。この連結部材５９は、使用者（執務者）が天板４０の後方から把持してカート装置１０を走行操作する操作部として機能し、カート装置１０の操作性を高めることができる。
【００２５】
このようなカート装置１０は、天板４０の上面４１上に電子機器等を搭載した状態で、キャスター２１により執務空間を移動自在とされている。
また、支持基体３０を上下方向に伸縮させることで、天板４０の高さを、任意の位置に変更できるようになっている。
【００２６】
上記のカート装置１０には、図３に示すように、天板支持部５０の第一支持アーム５３、第二支持アーム５４、第三支持アーム５５に囲まれるようにして、天板４０の下方に、前方、左方及び右方に連続して開口し、図４に示すように、デスクやカウンタ等の什器天板１００を収容可能な第一収容部（前部空間）６０が形成されている。
第一収容部６０に什器天板１００を収容することによって、カート装置１０の天板４０と什器天板１００とを深く重合させることができる。これにより、執務区間内におけるカート装置１０を設置するために占有する面積を最小限とすることができ、室内空間の有効利用を図ることができる。
ここで、天板４０が左右両側に設けられた第二支持アーム５４、５４に取り付けられていることにより、天板４０を安定的に支持することができる。そして、第二支持アーム５４、５４は支持基体３０に取り付けられて左右両側へと広がるように設けられた第一支持アーム５３、５３に支持されていることで、支持基体３０の構造に関係なく、左右両側で天板４０を安定的に支持することができる。このため、支持基体３０を、最小限の部材寸法として天板４０下の空間を有効に利用することができる。
また、傾斜している第一支持アーム５３、５３において、第一収容部６０に臨む側のカバー５６に、デスクやカウンタ等の什器天板１００を突き当てることで、什器天板１００の第一収容部６０の前方から後方への挿入寸法を規制することもできる。
【００２７】
さらに、図５に示すように、天板４０の前端４０ｂを、前方側のベースアーム２３Ｂおよびキャスター２１よりも前方に突出するよう設けることで、カート装置１０を壁体１５０等に押し付けたときに、天板４０と壁体１５０との間に隙間を有さない状態とすることができ、使用感に優れたものとすることができる。
【００２８】
また、上記カート装置１０には、第一支持アーム５３、支持基体３０、ベースアーム２３Ａ、２３Ａに囲まれるようにして、後方、左方及び右方に連続して開口し、使用者の下肢を収容可能な第二収容部６２が形成されている。ここで、支持基体３０は、側面視すると、その前後方向の中心部よりも前方（ベースアーム２３Ｂ、２３Ｂが延びる方向）にオフセットして設けられている。これにより、第二収容部６２は、使用者の下肢を十分に収容可能なスペースを確保することができる。
【００２９】
ところで、図６に示すように、上記したようなカート装置１０において、支持基体３０上に支持された、天板４０と天板支持部５０とを含む上部構造体Ａは、重心位置Ｇ１は、平面視して、支持基体３０の重心位置Ｇ２のなるべく近傍位置に設定する。これにより、天板４０が高い位置にあるカート装置１０において、その安定性を高めることができる。
また、重心位置Ｇ１は、平面視して、支持基体３０のなるべく近傍の位置、特に好ましくは支持基体３０の断面内の位置に設定する。このようにすることで、より安定性を高めることができるとともに、支持基体３０を伸縮させて天板４０を昇降させるときに支持基体３０に偏荷重がかかりにくくなり、支持基体３０の昇降動作を円滑に行える。
【００３０】
上部構造体Ａの重心位置Ｇ１を決定するときには、天板４０上に載置される載置物を含むことができる。この場合、載置物としては、カート装置１０の設計段階で、天板４０に載置されるであろう載置物として予め設定することのできる、例えばパーソナルコンピュータ装置等の各種電子機器がある。
そして、予め設定された設計重量の載置物が天板４０の予め設定される所定位置に載置された場合における、天板４０上の載置物を含んだ上部構造体Ａの重心位置Ｇ１が、平面視して、下部構造体Ｂの支持基体３０の重心位置近傍となるように設定する。ここで、載置物が載置される所定位置としては、天板４０の中央、すなわち平面視して天板４０の図心となる位置に設定するものとしても良いし、当該中央よりも前方となる位置に設定するものとしても良い。
【００３１】
カート装置１０においては、第一アーム５３，５３が、支持基体３０に側面視において後方に向けて片持ち状に取り付けられ、第二支持アーム５４、５４が第一アーム５３，５３の上端から上方に向かって立設されることで、第一支持アーム５３、５３と第二支持アーム５４，５４と、第三支持アーム５５、５５に取り付けられた天板４０との間にスペースが確保されているため、そこで、図７に示すように、天板４０の下面に、物品を載置・収納可能な物品収容部７０を備えることもできる。この物品収容部７０には、例えば、バッテリ装置７１を収容することができる。バッテリ装置７１を備えることで、天板４０上で用いる、例えばパーソナルコンピュータ等の電子機器の電源を確保することが可能となる。これにより、執務者は長時間にわたってパーソナルコンピュータ装置等の電子機器を利用することができ、執務者の利便性、作業性が高まる。
この場合も、バッテリ装置７１を上部構造体Ａに含むものとして重心位置Ｇ１を設定するのが好ましい。
なお、物品収容部７０には、言うまでもなく、バッテリ装置７１以外の、各種電子機器等を収容することもできるし、通常の引き出し等を備えることもできる。
【００３２】
また、図６に示すように、支持基体３０を上下方向に伸縮調整するための操作レバー５１は、平面視して、支持基体３０の重心位置（中心）近傍に設けるようにしても良い。具体的には、例えば、天板支持部５０の基部５２、支持基体３０のインナー支柱３２またはアウター支柱３１に設けられるようにしても良い。これにより、カート装置１０において高い位置にある操作レバー５１を操作したときに、カート装置１０が不安定になるのを防ぐことができる。
【００３３】
また、図６に示すように、ベース部２０は、平面視して、支持基体３０の重心位置Ｇ２に対する上部構造体Ａの重心位置Ｇ１の位置ずれする方向である重心ずれ方向における第一の幅寸法Ｗ１が、前記の重心ずれ方向に直交する方向における第二の幅寸法Ｗ２に対して大きく設定されているのが好ましい。つまり、上部構造体Ａは、支持基体３０に対し、後方にオフセットした位置に重心位置Ｇ１を有している場合に、ベース部２０の前後方向の長さ（第一の幅寸法Ｗ１）を横方向の長さ（第二の幅寸法Ｗ２）よりも大きくすることで、カート装置１０の安定性を高めている。なお、上部構造体Ａの重心位置Ｇ１と支持基体３０の重心位置Ｇ２が平面視して一致する場合にはこの限りではない。
【００３４】
次に、上記したようなカート装置１０の様々な使用形態を例に示す。
例えば、図７に示すように、ノートブック型のパーソナルコンピュータ装置１１０や、図８に示すように、タッチパネル式のコンピュータ装置１１１等を設置してカート装置１０を利用することもできる。
図９に示すように、天板４０上に、パーソナルコンピュータ装置のモニター１２０、キーボード１２１を載置することもできる。その場合、パーソナルコンピュータ装置の本体１２２は、支持基体３０のアウター支柱３１に固定して設置することもできる。
【００３５】
カート装置１０の支持基体３０には、図７、図８に示すように、物品を収容する収容容器１３０を取り付けることもできる。さらに、図１０に示すように、支持基体３０に、物品を収容する収容トレー１３１を１以上取り付けることもできる。
これら収容容器１３０や収容トレー１３１を支持基体３０に取り付けるには、図２（ｃ）に示すように、支持基体３０のアウター支柱３１の表面に、上下方向に間隔を隔てて複数の係止孔３４ａを形成しておき、この係止孔３４ａに、収容容器１３０や収容トレー１３１に設けた図示しないフック等を係止すればよい。
【００３６】
また、図１１、図１２に示すように、カート装置１０に、物品運搬用の運搬カート２００を連結することもできる。例えば、病院や介護施設等において、医薬品を運搬カート２００に搭載し、カート装置１０の天板４０上に載置したコンピュータ装置に表示した患者や被介護者の電子カルテと照合しながら、医薬品の配布等を行うことができる。ここで、運搬カート２００は、カート装置１０と連結具８０等の適宜手段によって連結できればよく、その具体的構成については限定する意図はない。
【００３７】
（その他の変形例）
なお、本発明のカート装置は、図面を参照して説明した上述の各実施形態に限定されるものではなく、その技術的範囲において様々な変形例が考えられる。
例えば、天板支持部５０は、図２に示したような構成に限らず、以下に示すような変形例が考えられる。
図１３（ａ）に示すように、側面視において基部５２から後方に向けて片持ち状に設けられる第一支持アーム５３、５３を、斜め上方ではなく、ほぼ水平方向に延ばして設けることもできる。このようにすると、天板４０と第一支持アーム５３、５３との間のスペースの上下方向の寸法が大きく確保でき、ここに物品収容部７０を設ける場合に、その収容容積を拡大することが可能となる。
【００３８】
また、第一支持アーム５３、５３を、基部５２からＶ字状に延ばすのではなく、図１３（ｂ）に示すように、基部５２からＹ字状に延ばしてもよいし、図１３（ｃ）に示すように、Ｔ字状に延ばしてもよい。この場合、第一支持アーム５３，５３に連続する第二支持アーム５４、５４は、左右方向に広がりながら斜め上方に延びるよう形成してもよい。
【００３９】
さらに、図１３（ｄ）に示すように、第一支持アーム５３を、基部５２から第二支持アーム５４，５４に向けて漸次幅の広がる三角形状のプレート状とすることもできる。
ここで、図１３（ｂ）、（ｄ）に示したように、連結部材５９は適宜省略することもできる。
【００４０】
また、図１４（ａ）、（ｂ）に示すように、支持基体３０上に取り付けられた基部５２を、横方向に延びるバー状とし、その両端から第一支持アーム５３、５３を、後方に向けて斜め上方に延びるよう設けてもよい。
【００４１】
また、図１５（ａ）に示すように、側面視において基部５２から後方に向けて片持ち状に設けられる第一支持アーム５３に対し、第二支持アーム５４は、第一支持アーム５３の上端部から斜め前方に向けて延びるよう形成してもよい。また、図１５（ｃ）に示すように、第二支持アーム５４は、第一支持アーム５３の上端部から鉛直上方に向けて延びるよう形成してもよい。さらに、図１５（ｂ）に示すように、第二支持アーム５４は、下部では上方に向かうに従って後方へと傾斜するとともに上部では上方に向かうに従って前方へと傾斜するようにして、前方側を凹とし後側を凸として湾曲するよう形成してもよい。
【００４２】
図１５（ｄ）に示すように、第二支持アーム５４を、操作部として使用者が把持してカート装置１０を操作することもできる。
また、デスクやカウンタ等の什器天板１００が、第二支持アーム５４や連結部材５９を保持した使用者の手に当たらないよう、第一支持アーム５３に、上方に突出するストッパ６３を設けるのが好ましい。このストッパ６３は、天板４０の下面または第三支持アーム５５の下面に下方に突出するよう設けてもよい。
【００４３】
上記実施形態では、支持基体３０を、カート装置１０の左右方向の中心に位置する単柱状としたが、これに限るものではなく、図１６（ａ）、（ｂ）に示すように、カート装置１０の左右方向に連続する壁状（ブロック状）の支持基体３０とすることも可能である。
【００４４】
また、天板支持部５０も、第一支持アーム５３、第二支持アーム５４等を二本一対とせず、図１６（ａ）に示すように、左右方向に連続する帯状とすることもできる。
図１６のような変形例においても、上部構造体Ａの重心位置Ｇ１が、支持基体３０の重心位置Ｇ２の近傍に配置されていることで、同様に安定性を高めることができる。また、支持基体３０は、単数でなく、複数、例えば左右方向に対をなして設けられていても良い。この場合にも、複数の支持基体を合わせて重心位置Ｇ２を特定し、当該重心位置Ｇ２に上部構造体Ａの重心位置Ｇ１が近傍に配置されていることで同様の効果を奏する。
【００４５】
ベース部２０も、図１の例では、支持基体３０が取り付けられる支持基体取付部２２から、ベースアーム２３がＸ字状に設けられた構成としたが、これに限らず、図１６（ｂ）に示すように、Ｈ字状に配置することもできるし、図１６（ａ）に示すように、支持基体３０から前後に延びるプレート状とすることもできる。
これ以外にも、本発明の主旨を逸脱しない限り、上記実施の形態で挙げた構成を取捨選択したり、適宜組み合わせたり、他の構成に適宜変更することが可能である。
【符号の説明】
【００４６】
１０  カート装置
２０  ベース部
２１  キャスター
２２  支持基体取付部
２３  ベースアーム
２４  操作ペダル
３０  支持基体
３１  アウター支柱
３２  インナー支柱
３３  ガススプリング
３４ａ        係止孔
４０  天板
４０ａ      後端部
４０ｂ      前端
４１  上面
４２  柵体
５０  天板支持部
５１  操作レバー
５２  基部
５３  第一支持アーム（第一支持部）
５３ａ      溝
５４  第二支持アーム
５５  第三支持アーム（第二支持部）
５６  カバー
５７  連結ロッド
５８  サポートプレート
５９  連結部材
６０  第一収容部（前部空間）
６２  第二収容部
６３  ストッパ
７０  物品収容部
７１  バッテリ装置
８０  連結具
１００      什器天板
１１０      パーソナルコンピュータ装置
１１１      コンピュータ装置
１２０      モニター
１２１      キーボード
１２２      本体
１３０      収容容器
１３１      収容トレー
１５０      壁体
２００      運搬カート
Ａ    上部構造体
Ｂ    下部構造体
【図１】
0005802430.tif 000002
【図２】
0005802430.tif 000003
【図３】
0005802430.tif 000004
【図４】
0005802430.tif 000005
【図５】
0005802430.tif 000006
【図６】
0005802430.tif 000007
【図７】
0005802430.tif 000008
【図８】
0005802430.tif 000009
【図９】
0005802430.tif 000010
【図１０】
0005802430.tif 000011
【図１１】
0005802430.tif 000012
【図１２】
0005802430.tif 000013
【図１３】
0005802430.tif 000014
【図１４】
0005802430.tif 000015
【図１５】
0005802430.tif 000016
【図１６】
0005802430.tif 000017